【手続補正書】
【提出日】平成16年8月19日(2004.8.19)
【手続補正１】
【補正対象書類名】明細書
【補正対象項目名】特許請求の範囲
【補正方法】変更
【補正の内容】
【特許請求の範囲】
【請求項１】
１つ以上の無線周波数（ＲＦ）チャンネルにわたって時分割無線データ通信を提供する通信網であって、
少なくとも２つの時間領域群に分割された複数のノード、
前記少なくとも２つの時間領域群間をインターフェースするノード群からなる少なくとも１つのバッファセグメントからなり、
前記１つ以上のＲＦチャンネルは、各フレーム中に複数のタイムスロットを含む複数のフレームに分割され、各々の前記フレーム中の所定のタイムスロットが論理チャンネルを構成し、各々の前記時間領域群は、論理チャンネルの前記タイムスロットを同期化する独立したタイミングソースを含み、前記バッファセグメントは、所定のオフセット状態に応じて他の論理チャンネルの未使用タイムスロットに前記時間領域間の論理チャンネルを動的に再割り当てすることによって、相互接続された時間領域間の通信のために論理同期を維持するように適応された通信網。
【請求項２】
請求項１記載の通信網において、前記時間領域は複数のセグメントに分割され、各々の前記セグメントは多数のノードを含み、循環トークンを使用して前記ノード間でメッセージを渡し、前記複数のセグメントは、隣接セグメントの前記タイムスロットを同期化すると共にセグメント内の前記トークンを再循環させるために少なくとも１つのセグメント間装置を含む通信網。
【請求項３】
請求項２記載の通信網において、前記セグメント間装置は、主モジュールと少なくとも１つの従属モジュールを含み、前記主モジュールは、トークンの受信に基づいて前記従属モジュールへの同期信号を発生するように適応されており、前記従属モジュールは、前記同期信号の受信後前記トークンを保持している場合のみ対応するセグメントにむけてトークンを送ることにより、前記セグメント内で周期的な論理チャンネル再同期を提供する通信網。
【請求項４】
請求項３記載の通信網において、前記独立タイミングソースはタイミング主装置ノードであり、時間領域内の全セグメントは、前記タイミング主装置モードから発せられたトークンによって同期化される通信網。
【請求項５】
請求項２記載の通信網において、前記通信網内の前記ノードは各々、唯一のノードアドレスを含み、前記ノードアドレスは、時間領域インデックス、セグメントインデックス及びノードインデックスを含み、前記セグメントインデックスは時間領域内で唯一のものであり、ノードインデックスはセグメント内で唯一のものである通信網。
【請求項６】
請求項５記載の通信網において、前記バッファセグメント内のノードが、バッファセグメントがインターフェースする最も下位にアドレスされた時間領域に対応するアドレスを有する通信網。
【請求項７】
請求項６記載の通信網において、バッファセグメントは領域間装置ノードを介して時間領域にインターフェースし、前記バッファセグメントは、制御セグメントと呼ばれる最も下位の時間領域インデックスを有する領域間装置ノードのタイミングを使用する通信網。
【請求項８】
請求項７記載の通信網において、上位の領域インデックスを有するバッファセグメントに接続された領域間装置ノードは従属セグメントと呼ばれ、前記従属セグメントは、前記制御セグメント及び前記従属セグメントの論理チャンネル間の時間オフセットを通知するように働くことができる通信網。
【請求項９】
請求項８記載の通信網において、前記従属セグメントは、さらに、２つの中間時間領域トークンの受信間に得られた連続的時間オフセットから計算された代数的クロックドリフト率を提供するように働くことができる通信網。
【請求項１０】
請求項１記載の通信網において、前記論理チャンネルの動的再割り当てのための論理チャンネルは、第１の時間領域のタイムスロットが第２の時間領域で使用される論理チャンネルとオーバラップしないように選ばれる通信網。
【請求項１１】
請求項１記載の通信網において、前記所定のオフセットはΔｔであり、減少するオフセットΔｔについて、Δｔ≧１スロットでありかつトークンが適時に受信された場合、またかけがえとして、Δｔ≧Ｔｃｈ１ ＞１スロットであり（ここで、Ｔｃｈ１ は監視されるスレショールドレベルを表わす）かつトークンが受信されなかった場合は、論理チャンネルは再割り当てされない通信網。
【請求項１２】
請求項１記載の通信網において、前記所定のオフセットはΔｔであり、増加するオフセットについて、Δｔ≦１スロットでありかつトークンが適時に受信された場合、またかけがえとして、Δｔ≦Ｔｃｈ２ （ここで、２スロット＜Ｔｃｈ２ ＜３スロットであり、Ｔｃｈ２ は監視されるスレショールドレベルを表わす）である場合は、論理チャンネルは再割り当てされない通信網。
【請求項１３】
１つ以上の無線周波数（ＲＦ）にわたって無線通信網における時分割データ通信を提供する方法であって、前記通信網が互いに通信するのに適応した複数のノードを含み、前記１つ以上のＲＦチャンネルは、各フレームに複数のタイムスロットを含む複数のフレームに分割され、各々の前記フレーム中の所定のタイムスロットが論理チャンネルを構成する方法において、
前記複数のノードを少なくとも２つの時間領域群に分割するステップ、
論理チャンネルの前記タイムスロットを同期化するために各々の前記時間領域群において独立したタイミングソースを維持するステップ、
所定の時間オフセット状態に応じて他の論理チャンネルの未使用タイムスロットに時間領域間の論理チャンネルを動的に再割り当てし、それにより、相互接続された時間領域間の通信の論理同期を維持するステップからなる方法。
【請求項１４】
請求項１３記載の方法において、前記再割り当てステップは、予め決められたスレショールド以下の前記所定の時間オフセットに応じて時間オフセットを増加させる論理チャンネルに前記時間領域間で送信されるユーザーデータを割り当てるステップを含む方法。
【請求項１５】
請求項１３記載の方法において、前記再割り当てステップは、予め決められたスレショールド以上の前記所定の時間オフセットに応じて時間オフセットを減少させる論理チャンネルに前記時間領域間で送信されるユーザーデータを割り当てるステップを含む方法。
【請求項１６】
請求項１３記載の方法において、前記ノードはトークンパッシング方式により互いに通信するのに適応され、再割り当てステップは前記未使用スロットにトークンを割り当てることにより達成される方法。
【請求項１７】
請求項１３記載の方法において、前記時間領域は複数のセグメントに分割され、各々の前記セグメントは多数のノードを含み、循環トークンを使用して前記ノード間でメッセージを渡し、前記複数のセグメントは少なくとも１つのセグメント間装置を含み、さらに、隣接セグメントの前記タイムスロットを同期化すると共に、前記セグメント間装置によりセグメント内の前記トークンを再循環させるステップを含む方法。
【請求項１８】
請求項１７記載の方法において、前記セグメント間装置は、主モジュールと少なくとも１つの従属モジュールを含み、前記同期化ステップは、前記主モジュールによるトークンの受信に基づいて前記主モジュールから前記従属モジュールへ同期信号を発生するステップを含み、前記従属モジュールは、前記同期信号の受信後前記トークンを保持している場合のみ対応するセグメントにむけてトークンを送ることにより、前記セグメント内で周期的な論理チャンネル再同期を提供する方法。
【請求項１９】
請求項１７記載の方法において、前記通信網内の前記ノードは各々、唯一のノードアドレスを含み、前記ノードアドレスは、時間領域インデックス、セグメントインデックス及びノードインデックスを含み、前記セグメントインデックスは時間領域内で唯一のものであり、ノードインデックスはセグメント内で唯一のものである通信網。
【請求項２０】
請求項１９記載の方法において、前記時間領域はバッファセグメントを介して互いにインターフェースし、前記バッファセグメント内のノードは、バッファセグメントがインターフェースする最も下位にアドレスされた時間領域に対応するアドレスを有する方法。
【請求項２１】
請求項２０記載の方法において、バッファセグメントは領域間装置ノードを介して時間領域にインターフェースし、前記バッファセグメントは、制御セグメントと呼ばれる最も下位の時間領域インデックスを有する領域間装置ノードのタイミングを使用する方法。
【請求項２２】
請求項２１記載の方法において、上位の領域インデックスを有するバッファセグメントに接続された領域間装置ノードは従属セグメントと呼ばれ、さらに、前記制御セグメント及び前記従属セグメントの論理チャンネル間の時間オフセットを前記制御セグメントに通知するステップを含む方法。
【請求項２３】
請求項２２記載の方法において、前記従属セグメントは、さらに、２つの中間時間領域トークンの受信間に得られた連続的時間オフセットから計算された代数的クロックドリフト率を提供するように働くことができる方法。
【請求項２４】
請求項１３記載の方法において、前記トークンの動的再割り当てのための論理チャンネルは、第１の時間領域のタイムスロットが第２の時間領域で使用される論理チャンネルとオーバラップしないように選ばれる方法。
【請求項２５】
請求項１３記載の方法において、前記所定のオフセットはΔｔであり、減少するオフセットΔｔについて、Δｔ≧１スロットでありかつトークンが適時に受信された場合、またかけがえとして、Δｔ≧Ｔｃｈ１ ＞１スロットであり（ここで、Ｔｃｈ１ は監視されるスレショールドレベルを表わす）かつトークンが受信されなかった場合は、論理チャンネルは再割り当てされない方法。
【請求項２６】
請求項１３記載の方法において、前記所定のオフセットはΔｔであり、増加するオフセットについて、Δｔ≦１スロットでありかつトークンが適時に受信された場合、またかけがえとして、Δｔ≦Ｔｃｈ２ （ここで、２スロット＜Ｔｃｈ２ ＜３スロットであり、Ｔｃｈ２ は監視されるスレショールドレベルを表わす）である場合は、論理チャンネルは再割り当てされない方法。
【請求項２７】
請求項１３記載の方法において、時間フレームはｎ個のタイムスロットを含み、ノードは、前記トークンを伝達する前にｎ−１個のタイムスロットを待ち受ける方法。